(57)【要約】【課題】室内の上方に出射される出射光の光量を増加させる採光ブラインドを提供すること。【解決手段】  実施形態に係る採光ブラインドは、並列に配置される四角柱状の複数の第１棒部と、複数の第１棒部を支持する第１支持部とを有し、互いに隣接する第１棒部の間に複数の第１貫通孔が形成され、透光性材料により形成される第１部材と、並列に配置される四角柱状の複数の第２棒部と、複数の第２棒部を支持する第２支持部とを有し、互いに隣接する第２棒部の間に複数の第２貫通孔が形成され、透光性材料により形成される第２部材とを備え、複数の第１棒部が複数の第２貫通孔に嵌まり合い、複数の第２棒部が複数の第１貫通孔に嵌まり合うことにより、第１部材と第２部材とが平板状に一体化される。そして、一体化された第１部材と第２部材とにおいて、第１棒部と第１棒部に隣接する第２棒部との間に、第１棒部に沿って延び厚み方向に貫通するスリットが形成される。【選択図】図２
2018073695.tif 000002
【特許請求の範囲】
【請求項１】
並列に配置される四角柱状の複数の第１棒部と、前記複数の第１棒部を支持する第１支持部と、を有し、互いに隣接する前記第１棒部の間に複数の第１貫通孔が形成され、透光性材料により形成される第１部材と、
並列に配置される四角柱状の複数の第２棒部と、前記複数の第２棒部を支持する第２支持部と、を有し、互いに隣接する前記第２棒部の間に複数の第２貫通孔が形成され、透光性材料により形成される第２部材と、を備え、
前記複数の第１棒部が前記複数の第２貫通孔に嵌まり合い、前記複数の第２棒部が前記複数の第１貫通孔に嵌まり合うことにより、前記第１部材と前記第２部材とが平板状に一体化され、
一体化された前記第１部材と前記第２部材とにおいて、前記第１棒部と当該第１棒部に隣接する前記第２棒部との間に、当該第１棒部に沿って延び厚み方向に貫通するスリットが形成される、
採光ブラインド。
【請求項２】
前記第１棒部と当該第１棒部に隣接する前記第２棒部との間の幅は、０．１ｍｍ以下である、
請求項１に記載の採光ブラインド。
【請求項３】
前記第１棒部の底面と、前記第２棒部の底面とは、いずれも鏡面状である、
請求項１または２に記載の採光ブラインド。
【請求項４】
前記第１支持部と前記第２支持部とが互いに嵌合することにより、前記第１部材と前記第２部材とが互いに保持される、
請求項１〜３のいずれか一つに記載の採光ブラインド。
【請求項５】
前記第１支持部は、複数の第１棒部を支持する平板状の平板部と、前記平板部の一面から突出し、前記複数の第１棒部にそれぞれ連続するように設けられる複数の突出部と、前記突出部から前記平板部の延伸方向に沿って隣接する前記突出部に向かって突出する突起と、を有し、
前記第２支持部は、前記第２棒部の端部と連結される部位に連結部を有し、
前記突出部と前記連結部とが前記突起の突出面で当接するように互いに嵌合することにより、前記スリットの幅が保持される、
請求項４に記載の採光ブラインド。
【発明の詳細な説明】
【技術分野】
【０００１】
本発明は、採光ブラインドに関する。
【背景技術】
【０００２】
従来、建築物の室内の明るさを調整するために、光の屈折や反射などの光学的作用を利用して、窓から入る太陽光の向きを上向きに変えて室内に出射する採光ブラインドが知られている。そして、従来の採光ブラインドにおいては、かかる光学的作用を発現させるために、横方向に延びるスリットが形成されている。
【先行技術文献】
【特許文献】
【０００３】
【特許文献１】特開２００９−２６６７９４号公報
【発明の概要】
【発明が解決しようとする課題】
【０００４】
しかしながら、従来の採光ブラインドでは、スリットの幅が狭いことが好ましいが、射出成形ではスリットの幅を狭くすることが困難である。具体的には、スリットの幅が広い場合、スリットに入射される太陽光は、上方に向きが変えられず下方に透過してしまうことから、室内の上方に出射される出射光の光量が低下する。このため、スリットの幅が例えば０．１ｍｍ程度であることが好ましいが、射出成形により幅の狭いスリットを成形することには限界がある。
【０００５】
本発明は、上記に鑑みてなされたものであって、室内の上方に出射される出射光の光量を増加させる採光ブラインドを提供することを目的とする。
【課題を解決するための手段】
【０００６】
上述した課題を解決し、目的を達成するために、本発明の一態様に係る採光ブラインドは、第１部材と、第２部材とを備える。前記第１部材は、並列に配置される四角柱状の複数の第１棒部と、前記複数の第１棒部を支持する第１支持部と、を有し、互いに隣接する前記第１棒部の間に複数の第１貫通孔が形成され、透光性材料により形成される。前記第２部材は、並列に配置される四角柱状の複数の第２棒部と、前記複数の第２棒部を支持する第２支持部と、を有し、互いに隣接する前記第２棒部の間に複数の第２貫通孔が形成され、透光性材料により形成される。また、前記複数の第１棒部が前記複数の第２貫通孔に嵌まり合い、前記複数の第２棒部が前記複数の第１貫通孔に嵌まり合うことにより、前記第１部材と前記第２部材とが平板状に一体化される。そして、一体化された前記第１部材と前記第２部材とにおいて、前記第１棒部と当該第１棒部に隣接する前記第２棒部との間に、当該第１棒部に沿って延び厚み方向に貫通するスリットが形成される。
【発明の効果】
【０００７】
本発明の一態様によれば、室内の上方に出射される出射光の光量を増加させることができる。
【図面の簡単な説明】
【０００８】
【図１】図１は、実施形態に係る採光ブラインドを建築物の窓に用いた例を示す模式図である。
【図２】図２は、実施形態に係る採光ブラインドの全体的な構成を示す斜視図である。
【図３】図３は、第１部材の拡大斜視図である。
【図４】図４は、第２部材の拡大斜視図である。
【図５】図５は、実施形態に係る採光ブラインドの拡大斜視図である。
【図６】図６は、図５に示すＡ−Ａ線の拡大矢視断面図である。
【発明を実施するための形態】
【０００９】
以下、実施形態に係る採光ブラインドについて図面を参照して説明する。なお、図面における各要素の寸法の関係、各要素の比率などは、現実と異なる場合がある。また、図面の相互間においても、互いの寸法の関係や比率が異なる部分が含まれている場合がある。
【００１０】
＜採光ブラインドの概要＞
図１は、実施形態に係る採光ブラインド１を建築物１００の窓Ｗに用いた例を示す模式図である。図１に示すように、採光ブラインド１は、たとえば、ガラス窓などの窓Ｗの上部からつり下げられるように設置されて使用される。そして、採光ブラインド１は、屋外から照射される太陽からの入射光Ｌ１を室内Ｒの上方に取り込む採光器として構成される。
【００１１】
採光ブラインド１は、太陽から照射される入射光Ｌ１を、室内Ｒの上方に位置する天井Ｃに向けた出射光Ｌ２として、指向的に出射する機能を有する。そして、出射光Ｌ２として天井Ｃに向けられた太陽光は、天井Ｃにおいて反射光Ｌ３として拡散反射されて室内Ｒを照らす。このように、採光ブラインド１により太陽光を室内Ｒの照明に用いることで、日中における照明器具の使用電力の削減を図ることができる。
【００１２】
＜採光ブラインドの全体的な構成＞
図２は、実施形態に係る採光ブラインド１の全体的な構成を示す斜視図である。図２（ａ）に示すように、採光ブラインド１は、透光性材料により形成される第１部材１０と、同じく透光性材料により形成される第２部材２０とで構成されている。
【００１３】
なお、以下においては、説明の便宜上、第１棒部１１および第２棒部２１が延びる方向（Ｙ軸正負方向）を「左右方向」「横方向」とし、第１棒部１１および第２棒部２１が配列される方向（Ｚ軸正負方向）を「上下方向」「縦方向」とする。また、「左右方向」と「上下方向」の双方に直交する方向（Ｘ軸正負方向）を「前後方向」「厚み方向」とする。
【００１４】
第１部材１０は、第１棒部１１と、第１支持部１３とを含む。第１棒部１１は、横方向に延びる四角柱状の部位であり、均等の間隔で上下方向に複数個並んで配置されている。また、隣接する第１棒部１１の間には、横方向に延び、厚み方向に貫通する複数の第１貫通孔１２が形成されている。第１支持部１３は、縦方向に延在する部位であり、複数の第１棒部１１を支持している。
【００１５】
第２部材２０は、第２棒部２１と、第２支持部２３とを含む。第２棒部２１は、横方向に延びる四角柱状の部位であり、均等の間隔で上下方向に複数個並んで配置されている。また、隣接する第２棒部２１の間には、横方向に延び、厚み方向に貫通する複数の第２貫通孔２２が形成されている。第２支持部２３は、縦方向に延在する部位であり、複数の第２棒部２１を支持している。
【００１６】
そして、図２（ｂ）に示すように、複数の第１棒部１１が対応する複数の第２貫通孔２２に嵌まり合い、複数の第２棒部２１が対応する複数の第１貫通孔１２に嵌まり合うように、第１部材１０と第２部材２０とが一体化されて、平板状の採光ブラインド１が構成される。
【００１７】
ここで、第１棒部１１と、第１貫通孔１２と、第２棒部２１と、第２貫通孔２２とを、それぞれ所定の寸法に設定することにより、一体化された採光ブラインド１には、隣接する第１棒部１１と第２棒部２１との間にスリット３０が形成される。
【００１８】
たとえば、第１部材１０において、上下方向における第１棒部１１の幅を１．０（ｍｍ）、第１貫通孔１２の幅を１．２（ｍｍ）と設定する。同様に、第２部材２０において、上下方向における第２棒部２１の幅を１．０（ｍｍ）、第２貫通孔２２の幅を１．２（ｍｍ）と設定する。
【００１９】
これにより、第１部材１０と第２部材２０とが一体化された場合に、第１棒部１１と第２棒部２１との間には、上下方向における幅が０．１（ｍｍ）のスリット３０を形成することができる。すなわち、採光ブラインド１によれば、第１部材１０と第２部材２０とを組み合わせて平板状に一体化させることにより、狭い幅のスリット３０を容易に構成することができる。
【００２０】
したがって、採光ブラインド１によれば、狭い幅のスリット３０を形成可能であることから、スリット３０から下方に透過する入射光Ｌ１の光量を減少させることができるため、室内Ｒの上方に出射される出射光Ｌ２の光量を増加させることができる。
【００２１】
ここで、スリット３０は、上下方向における幅が０．１（ｍｍ）以下であるとよい。これにより、スリット３０から下方に透過する入射光Ｌ１の光量をさらに減少させることができることから、室内Ｒの上方に出射される出射光Ｌ２の光量をさらに増加させることができる。
【００２２】
さらに、第１部材１０の第１貫通孔１２と、第２部材２０の第２貫通孔２２とは、たとえば、上述のように幅がいずれも１．２（ｍｍ）である。そして、幅が１．２（ｍｍ）程度の貫通孔は、射出成形で問題なく成形可能である。したがって、採光ブラインド１によれば、第１部材１０と第２部材２０とを射出成形で形成することができることから、低コストで製造することができる。
【００２３】
＜採光ブラインドの詳細な構成＞
つづいて、採光ブラインド１の詳細な構成について図３〜図６を用いて説明する。以降においては、まず第１部材１０の構成について図３で説明し、その次に第２部材２０の構成について図４で説明する。そして、第１部材１０と第２部材２０とを組み合わせた採光ブラインド１の構成について図５および図６で説明する。
【００２４】
図３は、第１部材１０の拡大斜視図である。第１部材１０には、左右方向の両端部および中央部に第１支持部１３が３つ配置される（図２（ａ）参照）。そして、図３の例では、隣接する第１支持部１３の間には、横方向に延びる第１棒部１１が上下方向に等間隔に６つずつ、左右に２列に配列されている。
【００２５】
第１棒部１１は、各面が上下方向または前後方向に略垂直な四角柱状の部位であり、たとえば、上下方向の幅が１．０（ｍｍ）、前後方向の幅が２．０（ｍｍ）である。また、隣接する第１棒部１１の間には、左右方向に延び、前後方向に貫通する第１貫通孔１２が形成されている。
【００２６】
第１貫通孔１２は、隣接する第１支持部１３の間に、上下方向に等間隔に５つずつ、左右に２列に配列されている。第１貫通孔１２は、内面が上下方向または左右方向に略垂直であり、たとえば、上下方向の幅が１．２（ｍｍ）、前後方向の幅が２．０（ｍｍ）である。
【００２７】
第１支持部１３は、複数の第１棒部１１の配列方向に沿って延びるように配置され、配列される複数の第１棒部１１の間をそれぞれ連結して、支持する機能を有する。また、実施形態において、左右方向の中央部に配置される第１支持部１３は、左右２列に配列される第１棒部１１の間をそれぞれ連結して、支持する機能も有する。
【００２８】
第１支持部１３は、平板部１３ａと、複数の突出部１３ｂと、複数の突起１３ｂａとを含み、第１縦溝部１３ｃと、複数の横溝部１３ｄとが形成されている。かかる第１支持部１３は、後述する第２部材２０の第２支持部２３（図４参照）と嵌合して、第１部材１０と第２部材２０とを互いに保持する機能を有する。
【００２９】
平板部１３ａは、複数の第１棒部１１の配列方向に沿って設けられる平板状の部位である。また、第１貫通孔１２の貫通方向における平板部１３ａの厚みは、同じ方向における第１棒部１１の厚みよりも小さい。そして、平板部１３ａは、第１棒部１１の端部において、一方（実施形態では後方）にかたよって配置されている。
【００３０】
複数の突出部１３ｂは、平板部１３ａの一方の面（実施形態では後方側の面）から突出する直方体状の部位である。また、複数の突出部１３ｂは、複数の第１棒部１１にそれぞれ連続するように設けられており、平板部１３ａの中央側に延伸している。さらに、第１貫通孔１２の貫通方向における平板部１３ａと突出部１３ｂとを合わせた厚みは、同じ方向における第１棒部１１の厚みと略等しい。
【００３１】
また、突出部１３ｂには、平板部１３ａの延伸方向に沿って隣接する突出部１３ｂとの間に、隣接する突出部１３ｂに向かって突出する突起１３ｂａが設けられている。かかる突起１３ｂａの高さは、たとえば０．１（ｍｍ）程度である。
【００３２】
第１縦溝部１３ｃは、平板部１３ａの延伸方向に２列に配列される突出部１３ｂの間に形成され、平板部１３ａの延伸方向に延びる溝である。また、第１棒部１１の延伸方向における第１縦溝部１３ｃの幅は、第２支持部２３の延伸方向における縦棒部２３ａ（図４参照）の幅よりも、わずかに小さくなるように形成されている。
【００３３】
横溝部１３ｄは、平板部１３ａの延伸方向に沿って隣接する突出部１３ｂの間にそれぞれ形成され、第１棒部１１の延伸方向に延びる溝である。また、横溝部１３ｄの側面は、突出部１３ｂに設けられる突起１３ｂａの突出面と一致しており、向かい合う側面同士の幅が、縦棒部２３ａの延伸方向における連結部２３ｂ（図４参照）の幅よりも、わずかに小さくなるように形成されている。
【００３４】
図４は、第２部材２０の拡大斜視図である。第２部材２０には、左右方向の両端部および中央部に第２支持部２３が３つ配置される（図２（ａ）参照）。そして、図４の例では、隣接する第２支持部２３の間には、横方向に延びる第２棒部２１が上下方向に等間隔に５つずつ、左右に２列に配列されている。
【００３５】
第２棒部２１は、各面が上下方向または前後方向に略垂直な四角柱状の部位であり、たとえば、上下方向の幅が１．０（ｍｍ）、前後方向の幅が２．０（ｍｍ）である。すなわち、第２棒部２１が延伸する方向と垂直な２方向（上下方向および前後方向）において、第２棒部２１は、第１棒部１１と略等しい寸法である。また、隣接する第２棒部２１の間には、左右方向に延び、前後方向に貫通する第２貫通孔２２が形成されている。
【００３６】
第２貫通孔２２は、隣接する第２支持部２３の間に、上下方向に等間隔に４つずつ、左右に２列に配列されている。第２貫通孔２２は、内面が上下方向または左右方向に略垂直であり、たとえば、上下方向の幅が１．２（ｍｍ）、前後方向の幅が２．０（ｍｍ）である。
【００３７】
第２支持部２３は、複数の第２棒部２１の配列方向に沿って延びるように配置され、配列される複数の第２棒部２１の間をそれぞれ連結して、支持する機能を有する。また、実施形態において、左右方向の中央部に配置される第２支持部２３は、左右２列に配列される第２棒部２１の間をそれぞれ連結して、支持する機能も有する。
【００３８】
第２支持部２３は、縦棒部２３ａと、複数の連結部２３ｂとを含み、複数の貫通部２３ｃと、第２縦溝部２３ｄとが形成されている。かかる第２支持部２３は、第１部材１０の第１支持部１３と嵌合して、第１部材１０と第２部材２０とを互いに保持する機能を有する。したがって、第２支持部２３は、第１支持部１３と対応する箇所に、第１支持部１３と同じ数だけ設けられるとよい。
【００３９】
縦棒部２３ａは、複数の第２棒部２１の配列方向に沿って延びるように配置された四角柱状の部位であり、第２棒部２１の延伸方向に垂直な両面それぞれに複数の連結部２３ｂが配置されている。
【００４０】
複数の連結部２３ｂは、複数の第２棒部２１と縦棒部２３ａとをそれぞれ連結する直方体状の部位である。連結部２３ｂは、一端側が縦棒部２３ａに連結され、他端側が第２棒部２１の端部において、一方（実施形態では後方）にかたよった位置に連結されている。また、連結部２３ｂは、第２棒部２１と連続するように設けられている。
【００４１】
また、第２貫通孔２２の貫通方向における連結部２３ｂの厚みと、同じ方向における縦棒部２３ａの厚みとは略等しく、かかる縦棒部２３ａ（または連結部２３ｂ）の厚みは、同じ方向における第２棒部２１の厚みより小さい。さらに、第２貫通孔２２の貫通方向における縦棒部２３ａ（または連結部２３ｂ）の厚みと、第１貫通孔１２の貫通方向における平板部１３ａの厚みとの合計は、第２貫通孔２２の貫通方向における第２棒部２１の厚みと略等しい。
【００４２】
複数の貫通部２３ｃは、縦棒部２３ａの延伸方向に沿って隣接する連結部２３ｂの間にそれぞれ形成されている。また、貫通部２３ｃは、第２貫通孔２２の貫通方向と同じ方向に貫通し、第２貫通孔２２と連続して形成された貫通孔であり、縦棒部２３ａ側に延伸している。さらに、縦棒部２３ａの延伸方向における貫通部２３ｃの幅は、第１支持部１３の延伸方向における突出部１３ｂの幅よりも、わずかに大きくなるように形成されている。
【００４３】
第２縦溝部２３ｄは、縦棒部２３ａの延伸方向に配列される第２棒部２１の間に形成され、縦棒部２３ａおよび連結部２３ｂと隣接して、縦棒部２３ａの延伸方向に延びる溝である。また、第２棒部２１の延伸方向における第２縦溝部２３ｄの幅は、第１棒部１１の延伸方向における平板部１３ａの幅よりも、わずかに大きくなるように形成されている。
【００４４】
ここまで示した第１部材１０と第２部材２０とは、上述のようにいずれも透光性材料により形成される。ここで、第１部材１０と第２部材２０とは、同じ種類の透光性材料から形成されてもよいし、異なる種類の透光性材料から形成されてもよい。
【００４５】
図５は、実施形態に係る採光ブラインド１の拡大斜視図であり、図３に示した第１部材１０と、図４に示した第２部材２０とを組み合わせて一体化させた状態を示している。
【００４６】
図５に示すように、第１部材１０の第１棒部１１は、対応する第２部材２０の第２貫通孔２２に嵌まり合うとともに、第２部材２０の第２棒部２１は、対応する第１部材１０の第１貫通孔１２に嵌まり合っている。そして、第１棒部１１と第２棒部２１とは、上下方向に略面一で、交互に並んで配置される。
【００４７】
また、隣接する第１棒部１１と第２棒部２１との間には、左右方向に延び、厚み方向に貫通するスリット３０が複数形成される。スリット３０は、たとえば、上下方向の幅が０．１（ｍｍ）であり、厚み方向の幅が２．０（ｍｍ）である。
【００４８】
さらに、第１支持部１３と第２支持部２３とが互いに嵌合することにより、第１部材１０と第２部材２０とが互いに保持され、それぞれが脱離しないように構成されている。
【００４９】
具体的には、図５に示すように、第１支持部１３の平板部１３ａが、第２支持部２３の第２縦溝部２３ｄに嵌合している。また、第１支持部１３の突出部１３ｂが、第２支持部２３の貫通部２３ｃに嵌合している。また、第２支持部２３の縦棒部２３ａが、第１支持部１３の第１縦溝部１３ｃに嵌合している。そして、第２支持部２３の連結部２３ｂが、第１支持部１３の横溝部１３ｄに嵌合している。
【００５０】
これにより、採光ブラインド１によれば、２つの部材（第１部材１０、第２部材２０）で構成される採光ブラインド１の形状を、安定して維持することができる。
【００５１】
なお、上述の第１支持部１３および第２支持部２３の形状はあくまで一例であり、第１支持部１３と第２支持部２３とが互いに嵌合するように形成されていれば、どのような構成であってもよい。
【００５２】
また、実施形態においては、第１貫通孔１２（または第２貫通孔２２）の貫通方向において、第１棒部１１の厚みと第２棒部２１との厚みが等しくなるように構成されている。さらに、同じ方向において、平板部１３ａと突出部１３ｂとを合わせた厚みは、第１棒部１１の厚みと略等しく構成されるとともに、縦棒部２３ａ（または連結部２３ｂ）の厚みと平板部１３ａの厚みとの合計は、第２棒部２１の厚みと略等しく構成されている。
【００５３】
これにより、図５に示すように、第１棒部１１が第２貫通孔２２に嵌まり合い、第２棒部２１が第１貫通孔１２に嵌まり合い、第１支持部１３と第２支持部２３とが互いに嵌合することにより、どの部分においても略等しい厚みを有する採光ブラインド１を実現することができる。
【００５４】
さらに、実施形態においては、突出部１３ｂの突起１３ｂａが、第１棒部１１の上面１１ｄ（図６参照）または底面１１ｂ（図６参照）から、０．１（ｍｍ）程度突出している。また、かかる突起１３ｂａの突出面と、第２棒部２１の上面２１ｄ（図６参照）または底面２１ｂ（図６参照）と略面一である連結部２３ｂの上面または底面とが当接している。
【００５５】
そして、かかる当接により、第１棒部１１の上面１１ｄ（または底面１１ｂ）と、この上面１１ｄ（または底面１１ｂ）に向かい合う第２棒部２１の底面２１ｂ（または上面２１ｄ）との間隔は、突起１３ｂａの高さに維持される。すなわち、実施形態においては、突起１３ｂａにより、スリット３０の上下方向の幅を所定の狭い間隔（実施形態では０．１（ｍｍ））に安定して維持することができる。
【００５６】
図６は、図５に示すＡ−Ａ線の拡大矢視断面図である。また、図６においては、採光ブラインド１の内部で、入射される太陽光がどのように向きを変えられるかについても示している。
【００５７】
図６に示すように、採光ブラインド１では、第１棒部１１と第２棒部２１とが上下方向に略面一で、交互に並んで配置されている。また、第１棒部１１と、かかる第１棒部１１に隣接する第２棒部２１との間には、前後方向に貫通するスリット３０が形成される。
【００５８】
そして、第１棒部１１の前面１１ａまたは第２棒部２１の前面２１ａに入射された入射光Ｌ１は、前面１１ａまたは前面２１ａで屈折する。この屈折した光Ｌａは、透光性材料により形成される第１棒部１１または第２棒部２１の内部を透過する。
【００５９】
そして、構成部材である透光性材料の屈折率と、スリット３０内の空気の屈折率との違いにより、光Ｌａは、第１棒部１１の底面１１ｂまたは第２棒部２１の底面２１ｂで全反射する。この全反射した光Ｌｂは、さらに第１棒部１１または第２棒部２１の内部を透過する。
【００６０】
そして、光Ｌｂは、第１棒部１１の後面１１ｃまたは第２棒部２１の後面２１ｃで屈折し、採光ブラインド１から上方に出射される出射光Ｌ２となる。
【００６１】
このように、太陽光の向きを上方に変える採光ブラインド１では、光Ｌａを全反射する底面１１ｂ、２１ｂが鏡面状であると、底面１１ｂ、２１ｂでの乱反射等を抑制することができるため、全反射される光Ｌｂの光量を増加させることができる。一方で、たとえば採光ブラインドのスリットをレーザ加工で形成した場合、照射されるレーザにより底面に凹凸が形成されてしまうことから、底面を鏡面状にすることは困難である。
【００６２】
しかしながら、実施形態にかかる採光ブラインド１では、第１棒部１１と第２棒部２１とがいずれも射出成形で形成可能であることから、たとえば金型にあらかじめ鏡面加工を施しておくことにより、底面１１ｂ、２１ｂを鏡面状にすることができる。
【００６３】
このように、採光ブラインド１によれば、底面１１ｂ、２１ｂを鏡面状にすることにより、全反射される光Ｌｂの光量を増加させることができることから、室内Ｒの上方に出射される出射光Ｌ２の光量をさらに増加させることができる。
【００６４】
なお、鏡面加工が施される面は、底面１１ｂ、２１ｂに限られず、たとえば、前面１１ａ、２１ａや後面１１ｃ、２１ｃを鏡面状にしてもよい。これにより、前面１１ａ、２１ａや後面１１ｃ、２１ｃでの乱反射等を抑制することができることから、室内Ｒの上方に出射される出射光Ｌ２の光量をさらに増加させることができる。
【００６５】
さらに、底面１１ｂ、２１ｂとは反対側の面である第１棒部１１の上面１１ｄおよび第２棒部２１の上面２１ｄを鏡面状にしてもよい。これにより、仮に採光ブラインド１を窓Ｗに上下逆に設置した場合においても、正常な向きに設置した場合と同様に室内Ｒの上方に出射光Ｌ２を出射することができる。
【００６６】
また、採光ブラインド１では、第１棒部１１と第２棒部２１とが左右方向の両端部で支持され、上下方向に交互に並んで構成されている。これにより、図６に示すように、採光ブラインド１の厚みを、第１棒部１１および第２棒部２１の前後方向の幅（実施形態では２．０（ｍｍ））と同程度に薄くすることができる。
【００６７】
このように、採光ブラインド１によれば、第１棒部１１または第２棒部２１の前後方向に支持用部材を配置することなく、厚みを最小限にできることから、光Ｌａ、Ｌｂが透過する光路長を最小限にすることができる。したがって、採光ブラインド１によれば、光Ｌａ、Ｌｂの透過時の減衰を最小限にすることができることから、室内Ｒの上方に出射される出射光Ｌ２の光量を増加させることができる。
【００６８】
上述したように、実施形態によれば、複数の第１棒部１１が上下方向に並べられた第１部材１０と、複数の第２棒部２１が上下方向に並べられた第２部材２０とを組み合わせて、第１棒部１１と第２棒部２１とが交互に並ぶように平板状に一体化することにより、狭い幅のスリット３０を容易に形成することができる。これにより、スリット３０に入射されてそのまま下方に透過する太陽光の光量を減少させることができることから、室内Ｒの上方に出射される出射光Ｌ２の光量を増加させることができる。
【００６９】
なお、上記の実施形態では、第１棒部１１が上下方向に６つ並べられ、第２棒部２１が上下方向に５つ並べられた例について示したが、第１棒部１１および第２棒部２１は、第１支持部１３および第２支持部２３で支持可能である範囲において、上下方向にいくつ並べられていてもよい。
【００７０】
たとえば、採光ブラインド１を設置する窓Ｗや室内Ｒの大きさにより求められる採光ブラインド１の大きさに応じて、第１棒部１１および第２棒部２１の設置数を適宜調整すればよい。
【００７１】
さらに、上記の実施形態では、第１支持部１３と、第２支持部２３とが、それぞれ左右方向の両端部と中央部とに３つずつ設けられた例について示したが、第１支持部１３と第２支持部２３との設置形態はこれに限られない。たとえば、採光ブラインド１を設置する窓Ｗの横幅が狭い場合は、第１支持部１３と第２支持部２３とが両端部にそれぞれ２つずつのみ設けられていてもよい。
【００７２】
一方で、採光ブラインド１を設置する窓Ｗの横幅が広い場合は、それぞれ４つ以上の第１支持部１３と第２支持部２３とを並べて設けてもよい。しかしながら、第１支持部１３および第２支持部２３自体は、図６に示した出射光Ｌ２の出射には寄与しないことから、第１棒部１１および第２棒部２１が支持可能である範囲において、第１支持部１３と第２支持部２３とは可能な限り少ないほうがよい。
【００７３】
さらに、上記の実施形態では、図６で示したように、底面１１ｂ、底面２１ｂ、上面１１ｄおよび上面２１ｄがいずれも平面であり、かつ互いに略平行となるように配置された例について示したが、底面１１ｂ、底面２１ｂ、上面１１ｄおよび上面２１ｄの構成および配置はこれに限られない。
【００７４】
たとえば、底面１１ｂ、底面２１ｂ、上面１１ｄおよび上面２１ｄのうち、少なくとも１つの面が曲面状であってもよい。また、底面１１ｂ、底面２１ｂ、上面１１ｄおよび上面２１ｄのうち、少なくとも１つの面が他の面とは略平行でなくてもよい。
【００７５】
以上のように、実施形態に係る採光ブラインド１は、第１部材１０と、第２部材２０とを備える。第１部材１０は、並列に配置される四角柱状の複数の第１棒部１１と、複数の第１棒部１１を支持する第１支持部１３と、を有し、互いに隣接する第１棒部１１の間に複数の第１貫通孔１２が形成され、透光性材料により形成される。第２部材２０は、並列に配置される四角柱状の複数の第２棒部２１と、複数の第２棒部２１を支持する第２支持部２３と、を有し、互いに隣接する第２棒部２１の間に複数の第２貫通孔２２が形成され、透光性材料により形成される。また、複数の第１棒部１１が複数の第２貫通孔２２に嵌まり合い、複数の第２棒部２１が複数の第１貫通孔１２に嵌まり合うことにより、第１部材１０と第２部材２０とが平板状に一体化される。そして、一体化された第１部材１０と第２部材２０とにおいて、第１棒部１１と第１棒部１１に隣接する第２棒部２１との間に、第１棒部１１に沿って延び厚み方向に貫通するスリット３０が形成される。これにより、射出成形を用いて狭い幅のスリット３０を形成可能であることから、採光ブラインド１から室内Ｒの上方に出射される出射光Ｌ２の光量を増加させることができる。
【００７６】
また、実施形態に係る採光ブラインド１において、第１棒部１１と第１棒部１１に隣接する第２棒部２１との間の幅は、０．１ｍｍ以下である。これにより、スリット３０から下方に透過する入射光Ｌ１の光量をさらに減少させることができることから、室内Ｒの上方に出射される出射光Ｌ２の光量をさらに増加させることができる。
【００７７】
また、実施形態に係る採光ブラインド１において、第１棒部１１の底面１１ｂと、第２棒部２１の底面２１ｂとは、いずれも鏡面状である。これにより、全反射される光Ｌｂの光量を増加させることができることから、室内Ｒの上方に出射される出射光Ｌ２の光量をさらに増加させることができる。
【００７８】
また、実施形態に係る採光ブラインド１において、第１支持部１３と第２支持部２３とが互いに嵌合することにより、第１部材１０と第２部材２０とが互いに保持される。これにより、２つの部材で構成される採光ブラインド１の形状を安定して維持することができる。
【００７９】
また、実施形態に係る採光ブラインド１において、第１支持部１３は、複数の第１棒部１１を支持する平板状の平板部１３ａと、平板部１３ａの一面から突出し、複数の第１棒部１１にそれぞれ連続するように設けられる複数の突出部１３ｂと、突出部１３ｂから平板部１３ａの延伸方向に沿って隣接する突出部１３ｂに向かって突出する突起１３ｂａと、を有し、第２支持部２３は、第２棒部２１の端部と連結される部位に連結部２３ｂを有する。そして、突出部１３ｂと連結部２３ｂとが突起１３ｂａで当接するように互いに嵌合することにより、スリット３０の幅が保持される。これにより、スリット３０の狭い幅を安定して維持することができる。
【００８０】
また、上記実施の形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００８１】
１      採光ブラインド
１０    第１部材
１１    第１棒部
１１ｂ  底面
１２    第１貫通孔
１３    第１支持部
１３ａ  平板部
１３ｂ  突出部
１３ｂａ  突起
１３ｃ  第１縦溝部
１３ｄ  横溝部
２０    第２部材
２１    第２棒部
２１ｂ  底面
２２    第２貫通孔
２３    第２支持部
２３ａ  縦棒部
２３ｂ  連結部
２３ｃ  貫通部
２３ｄ  第２縦溝部
３０    スリット
【図１】
2018073695.tif 000003
【図２】
2018073695.tif 000004
【図３】
2018073695.tif 000005
【図４】
2018073695.tif 000006
【図５】
2018073695.tif 000007
【図６】
2018073695.tif 000008